(57)【特許請求の範囲】
【請求項１】
金属製角筒柱状本体の中空部を挟んで相対向する二面には、ウェブ部とその両端のフランジ部とからなるコ字状の振れ止め用横桟を横向きコ字状の姿勢で挿通させる開口部が設けられ、このうち一方側の開口部が横桟差込み側開口部とされ、他方側の開口部が横桟引出し側開口部とされ、その横桟差込み側開口部にあって、当該開口部の左右両端縁に、振れ止め用横桟が開口部から抜け出るのを阻止する両側一対の抜止片が観音扉のような態様で突設され、両抜止片は、横桟差込み側開口部内においてその開口部両側縁から互いに凹凸嵌合するような形態で対向方向に突出し、振れ止め用横桟のウェブ部の内面に当接する一方の抜止片の突出長さが、前記ウェブ部の外面に当接する他方の抜止片の突出長さよりも長く形成されており、且つ常時は角筒柱状本体の中空部側へ半開き状に折曲開放されていて、振れ止め用横桟が差し込まれた時に前記半開き状態から弾性変形により更に開放されて、振れ止め用横桟のウェブ部の内外両面を両抜止片の先端部で挟み付けるようになっている壁下地用金属角筒柱。
【請求項２】
横桟差込み側開口部の開口部両側縁、即ち折曲縁部には、両抜け止め片がその半開き状態から更に容易に弾性変形によって開放するよう弾性変形補助用抜孔が貫設されてなる請求項１に記載の壁下地用金属製角筒柱。
【発明の詳細な説明】
【０００１】
【発明の属する技術分野】
本発明は、建築物の内装工事において、壁を形成する際の金属製下地材として使用される金属製角筒柱に関するものである。
【０００２】
【従来の技術】
この種の金属製角筒柱の使用状態を図７によって説明すると、建築物の内装工事に使用される金属製壁下地材として一般的に普及しているものは、壁下地材として、上部ランナーと呼ばれる天井面側の下向きコ字状の金属製上横桟１５（金属製チャンネル材）と下部ランナーと呼ばれる床面側の上向きコ字状の金属製下横桟１６（金属製チャンネル材）との間にスタッドと呼ばれる金属製角筒柱１７を横桟長手方向に適当間隔に立設し、この金属製角筒柱の室内外面に上貼り壁用のボード材１８をビス等で固着している。
【０００３】
そして、各角筒柱１７の中間部を横方向に貫通する断面コ字状の振れ止め用横桟１８を取り付け、各横桟１８を介して各角筒柱１７が互いに規制し合って室内外方向に振れるのを阻止し、これによって壁面の堅牢性を図るようにしている。この際、振れ止め用横桟１８は、図７から分かるように下向きコ字状の姿勢で角筒柱１７を貫通するように取り付けられ、しかして各角筒柱１７には、振れ止め用横桟１８を下向きコ字状の姿勢で挿通し得る開口部１９が形成されると共に、この開口部１９の片側口縁には、当該片側口縁を折曲部として開閉自在な横桟抜止片２０を突設し、この横桟抜止片２０を振れ止め用横桟１８の上面に圧接することによって、振れ止め用横桟１８の抜け止めを図るようにしている。
【０００４】
【発明が解決しようとする課題】
上記のような従来の壁下地用金属製角筒柱は、特開平８−２１８５２０号公報に開示されているが、それに開示されているような金属製角筒柱１７によれば、この角筒柱１７に振れ止め用横桟１８を取り付ける作業が非常に面倒で、作業能率が悪いと云う問題がある上に、細い角筒柱の場合、特に、振れ止め用横桟１８と直交する水平方向の幅寸法ａが小さい角筒柱では、横桟挿通用開口部１９の開口幅が角筒柱の上記幅寸法ａよりも大きくなることがあって、振れ止め用横桟１８を挿通させることができないと云う問題がある。尚、図７において、ｂは角筒柱１７の横桟長手方向に沿った幅寸法である。
【０００５】
本発明は、上記のような問題点に鑑み、各金属性角筒柱に振れ止め用横桟を取り付ける際の作業が簡単容易で作業能率が良い上に、細い角筒柱でも振れ止め用横桟を挿通させることができる金属製角筒柱を提供することを目的とする。
【０００６】
【課題を解決するための手段】
請求項１に係る発明は、金属製角筒柱本体１ａの中空部１ｏを挟んで相対向する二面には、ウェブ部２ａとその両端のフランジ部２ｂ，２ｂとからなるコ字状の振れ止め用横桟２を横向きコ字状の姿勢で挿通させる開口部７，８が設けられ、このうち一方の開口部７が横桟差込み側開口部とされ、他方側の開口部８が横桟引出し側開口部とされ、その横桟差込み側開口部７にあって、当該開口部７の左右両端縁に、振れ止め用横桟２が開口部７，８から抜け出るのを阻止する両側一対の抜止片１１，１２が観音扉のような態様で突設され、両抜止片１１，１２は、横桟差込み側開口部７内においてその開口部両側縁９，１０から互いに凹凸嵌合するような形態で対向方向に突出し、振れ止め用横桟２のウェブ部２ａの内面に当接する一方の抜止片１１の突出長さが、前記ウェブ部２ａの外面に当接する他方の抜止片１２の突出長さよりも長く形成されており、且つ常時は角筒柱本体１ａの中空部１ｏ側へ半開き状に折曲開放されていて、振れ止め用横桟２が差し込まれた時に前記半開き状態から弾性変形により更に開放されて、振れ止め用横桟２のウェブ部２ａの内外両面を両抜止片１１，１２の先端部で挟み付けるようになっていることを特徴とする。
【０００７】
請求項２は、請求項１に記載の壁下地用金属製角筒柱において、横桟差込み側開口部７の開口部両側縁９，１０、即ち折曲縁部には、両抜止片１１，１２がその半開き状態から更に容易に弾性変形によって開放するよう弾性変形補助用抜孔１３，１４が貫設されてなることを特徴とする。
【０００９】
【発明の実施の形態】
図１は、本発明に係る金属製角筒柱１を使用して形成される壁下地材を示したもので、図７に示す従来の壁下地材と同様に、上部ランナーと呼ばれる天井面側の金属製上横桟５と下部ランナーと呼ばれる床面側の金属製下横桟６との間に、スタッドと呼ばれる金属製角筒柱１を横桟長手方向に適当間隔おきに立設し、この金属製角筒柱１の室内外両面に上貼り壁用のボード材１８を固着し、そして各角筒柱１には振れ止め用横桟２を下向きコ字状の姿勢で角筒柱１を貫通するように取り付け、これによって壁面の堅牢性を図っている。
【００１０】
この実施形態において、金属製角筒柱１は、横桟２，５，６と直交する水平方向の幅寸法ａが例えば２５ｍｍ、横桟２，５，６の長手方向に沿った水平方向の幅寸法ｂが４０ｍｍである。因みに、図７に示す壁下地材に使用される角筒柱１１の幅寸法ａは４５ｍｍ、幅寸法ｂは３０ｍｍである。
【００１１】
上記金属製角筒柱１の角筒柱本体１ａは、図２に示すように、金属板を角筒状に折曲してその対向縁部をＪ字状やＵ字状に折曲し、これらの折曲部を互いに絡ませて接合する所謂はぜ接合構造によって、角筒柱１に形成されたものである。この角筒柱本体１ａの中空部１ｏを挟んで相対向する二面には、図３に示すようにウェブ部２ａとその両端のフランジ部２ｂ，２ｂとからなる横断面コ字状振れ止め用横桟２を横向きコ字状の姿勢で挿通させるための開口部７，８が設けられ、両開口部７，８は略同一形状に形成されたもので、両開口部７，８うちの一方側の開口部７が横桟差込み側開口部とされ、他方側の開口部８が横桟引出し側開口部とされる。上記振れ止め用横桟２はチャンネル材からなるもので、ウェブ部２ａの幅が３６ｍｍ、フランジ部２ｂが１１ｍｍとされ、また角筒柱１の開口部７，８は縦幅ｃが４２ｍｍ、横幅ｄが１５ｍｍとされる。
【００１２】
両開口部７，８のうち横桟差込み側開口部７には当該開口部の左右両端縁に、振れ止め用横桟２が開口部７から抜け出るのを阻止する両側一対の抜止片１１，１２が図２の（Ａ）に示すように観音扉のような態様で突設され、そして両抜止片１１，１２は、常時は図２の（Ｂ）に示すように角筒柱本体１ａの中空部１ｏ側へ半開き状に折曲開放されていて、図３に示すように振れ止め用横桟２が差し込まれた時に前記半開き状態から弾性変形により更に開放されて、振れ止め用横桟２のウェブ部２ａの内外両面を両抜止片１１，１２の先端部で挟み付けるようになっている。
【００１３】
上記抜止片１１，１２の形成にあたっては、金属板を角筒状に折曲する前の展開状態で金属板の開口部７形成位置に所定の切り込みを入れて、開口部７内に抜止片１１，１２のみが残るように他の不要部分を抜き取った後、その展開状態の金属板を角筒状に折曲して金属製角筒柱１を形成し、これが図２の（Ａ）に示す状態である。この図２の（Ａ）の状態から、開口部７内の抜止片１１，１２を角筒柱本体１ａの中空部１ｏ側へ強制的に折曲して半開き状に開放した状態が図２の（Ｂ）に示す状態である。尚、横桟差込み側開口部７は、金属板を折曲する前の展開状態で矩形状に切り抜いて形成する。
【００１４】
横桟差込み側開口部７の開口部両側縁、即ち折曲縁部９，１０には、両抜止片１１，１２がその半開き状態から更に容易に弾性変形によって開放するよう弾性変形補助用抜孔１３，１４が貫設されている。
【００１５】
また両抜止片１１，１２は、図２の（Ａ）に示すように、横桟差込み側開口部７内においてその開口部両側縁９，１０から互いに凹凸嵌合するような形態で対向方向に突出して、振れ止め用横桟２のウェブ部２ａの内面に当接する一方の抜止片１１の最大突出長さ（開口縁部９から抜止片１１の先端までの長さ）が、他方の抜止片１２の突出長さ（開口縁部１０から抜止片１２の先端までの長さ）よりも長く形成されている。ここで、「両抜止片１１，１２が互いに凹凸嵌合するような形態で対向方向に突出する」とは、一方の抜止片１１が凹状部を成し、他方の抜止片１２が凸状部を成し、凸状部である抜止片１２が凹状部である抜止片１１に嵌合するような形態で、両抜止片１１，１２が対向方向に突出することを意味する。そして、凹状部である抜止片１１は、図示のように、抜止片１２を間に挟むような形態でその上下両側に最大突出長さの突片部１１ａ，１１ａを有する。
【００１６】
しかして、横桟差込み側開口部７に振れ止め用横桟２が差し込まれた時には、突出長さの長い抜止片１１の突片部１１ａ，１１ａの先端部が振れ止め用横桟２のウェブ部２ａの内面側に弾接し、突出長さの短い抜止片１２の先端部がウェブ部２ａの外面側に弾接し、それらの先端部によってウェブ部２ａの内外両面を挟持するようになっている。
【００１７】
本発明の一実施形態は、以上のような構成からなり、これを使用するには、図１に示すように、先ず天井面側に上部ランナーである上横桟５をビスの打ち込みによって取り付け、床面側に下部ランナーである下横桟６を同様にビスの打ち込みによって取り付け、上下両横桟５，６の間に、スタッドと呼ばれる本発明に係る金属製角筒柱１を適当間隔おきに立設し、互いの間隔幅を正確に規制した後に同じくビスの打ち込みによって互いに取り付ける。この時、各角筒柱１の横桟差込み側開口部７に設けた抜止片１１，１２は、図５の仮想線で示すように、角筒柱本体１ａの中空部１ｏ側へ夫々強制的に折曲して半開き状に開放していると共に、両抜止片１１，１２の先端部が互いに交差した状態にある。
【００１８】
しかる後、振れ止め用横桟２を、図３に示すように横向きコ字状の姿勢で角筒柱１の横桟差込み側開口部７から角筒柱本体１ａ内に差し込んで、半開き状に開放して先端部が交差している抜止片１１，１２を押し開くようにして、その中空部１ｏを通して横桟引出し側開口部８から引き出し、しかして隣接する角筒柱１の横桟差込み側開口部７及び横桟引出し側開口部８に順次差し込み且つ引き出すようにして振れ止め用横桟２を複数の角筒柱１に貫通させる。
【００１９】
上記のように振れ止め用横桟２を各角筒柱１の横桟差込み側開口部７から角筒柱本体１ａ内に差し込むことによって、半開き状に開放して先端部が交差している抜止片１１，１２がその半開き状態から弾性変形により更に開放して、図４及び図５の実線図示のように振れ止め用横桟２のウェブ部２ａの内外両面を両抜止片１１，１２の先端部で挟み付け、これによって振れ止め用横桟２を角筒柱１に対し固定するから、振れ止め用横桟２を横桟差込み側開口部７から角筒柱本体１ａ内に差し込むだけの簡単な作業で振れ止め用横桟２の抜け止め作用を確実十分に発揮させることができる。
【００２０】
特に本発明の金属製角筒柱１にあっては、角筒柱本体１ａの中空部１ｏを挟んで相対向する二面には、断面コ字状の振れ止め用横桟２を横向きコ字状の姿勢で挿通させる開口部７，８を形成すると共に、両開口部７，８のうち、横桟差込み側開口部７に両側一対の抜止片１１，１２を観音扉のような態様で突設したものであって、両抜止片１１，１２は、常時は角筒柱本体１ａの中空部１ｏ側へ半開き状に折曲開放されていて、振れ止め用横桟２が差し込まれた時に上記半開き状態から弾性変形によって更に開放されて、振れ止め用横桟２のウェブ部２ａの内外両面を両抜止片１１，１２の先端部で挟み付けるようにした構成であるから、細い金属製角筒柱１の使用が可能であって、この実施形態で示したように横桟２，５，６と直交する方向の幅寸法ａが例えば２５ｍｍと云うような細い角筒柱の場合でも、ウェブ部２ａの幅が角筒柱１の幅寸法ａよりも大きい３６ｍｍと云った振れ止め用横桟２を容易に挿通させることができる。
【００２１】
また両抜止片１１，１２は、横桟差込み側開口部７内において開口部側縁９，１０から互いに凹凸嵌合するような形態で対向方向に突出し、振れ止め用横桟２のウェブ部２ａの内面に当接する一方の抜止片１１の突出長さが、他方の抜止片１２の突出長さよりも長く形成されるから、横桟差込み側開口部７の横幅ｄを出来るだけ狭くできて、開口部７内での振れ止め用横桟２のガタツキを極力少なくできると共に、両抜止片１１，１２の先端部でウェブ部２ａの内外両面を確実に挟持固定することができ、また上記のように横桟差込み側開口部７の横幅ｄを出来るだけ狭くできることから、細い金属製角筒柱１でも横桟差込み側開口部７の形成が容易に可能となる。
【００２２】
図６は、金属製角筒柱１の横桟差込み側開口部７内に形成される両抜止片１１，１２の他の実施形態を示している。即ち、上述した先の実施形態における両抜止片１１，１２は、突出長さの短い抜止片１２が単体からなるものであるが、この図６の実施形態では、突出長さの短い抜止片１２が上下２つに分割形成されている点が若干異なり、これ以外は先の実施形態とほとんど同じである。
【００２３】
【発明の効果】
請求項１に係る発明によれば、横桟と直交する水平方向の幅寸法が小さく細い金属製角筒柱であっても、振れ止め用横桟のウェブ部の幅が金属製角筒柱の上記幅寸法よりも大きい振れ止め用横桟を容易に挿通させることが可能となる。
【００２４】
また、振れ止め用横桟を金属製角筒柱の横桟差込み側開口部から角筒柱本体内に差し込むことによって、半開き状に開放している抜止片がその半開き状態から弾性変形により更に開放して、振れ止め用横桟のウェブ部の内外両面を両抜止片の先端部で挟み付け、これによって振れ止め用横桟を角筒柱に対し固定するようになっているから、振れ止め用横桟を横桟差込み側開口部から角筒柱本体内に差し込むだけの簡単な作業で振れ止め用横桟の取付けが行えて、作業能率を向上できると共に、振れ止め用横桟の抜け止め作用を確実十分に発揮させることができる。
更にまた本発明によれば、横桟差込み側開口部の横幅を出来るだけ狭くできて、開口部内での振れ止め用横桟のガタツキを極力少なくできると共に、両抜止片の先端部でウェブ部の内外両面を確実に挟持固定することができ、また細い金属製角筒柱でも横桟差込み側開口部の形成が容易に可能となる。
【００２５】
請求項２に係る発明によれば、振れ止め用横桟を、金属製角筒柱の横桟差込み側開口部より角筒柱本体内に差し込んで、その開口部の左右両端縁に突設された両抜止片を半開き状態から弾性変形によって更に開放する際に、振れ止め用横桟の軽い差し込み作業によって抜止片を押し開くことができるから、振れ止め用横桟の角筒柱本体内への差し込み作業が容易となって、作業能率を一層向上することができる。
【図面の簡単な説明】
【図１】  本発明に係る金属製角筒柱を使用して形成される壁下地材を示す斜視図である。
【図２】  本発明に係る金属製角筒柱の要部を示す斜視図で、（Ａ）は抜止片を未だ折曲開放していない状態を示し、（Ｂ）は抜止片を角筒柱状本体の中空部側へ半開き状に折曲開放した状態を示す。
【図３】  同金属製角筒柱の角筒柱本体にその横桟差込み側開口部より振れ止め用横桟を差し込んで、抜止片を半開き状態から弾性変形によって押し広げ、抜止片の先端部で振れ止め用横桟のウェブ部の内外両面を挟み込んだ状態を示す斜視図である。
【図４】  図３のＸ−Ｘ線断面図である。
【図５】  図４のＹ−Ｙ線断面図である。
【図６】  金属製角筒柱の横桟差込み側開口部内に形成される両抜止片の他の実施形態を示す金属製角筒柱の側面図である。
【図７】  従来の金属製角筒柱を使用して形成される壁下地材を示す斜視図である。
【符号の説明】
１                金属製角筒柱
１ｏ              角筒柱の中空部
２                振れ止め用横桟
２ａ              振れ止め用横桟のウェブ部
２ｂ              振れ止め用横桟のフランジ部
７                横桟差込み側開口部
８                横桟引出し側開口部
９，１０          開口部側縁
１１，１２        抜止片
１３，１４        弾性変形補助用抜孔
【図１】
0003653454.tif 000002
【図２】
0003653454.tif 000003
【図３】
0003653454.tif 000004
【図４】
0003653454.tif 000005
【図５】
0003653454.tif 000006
【図６】
0003653454.tif 000007
【図７】
0003653454.tif 000008